(57)【特許請求の範囲】
【請求項１】
設置対象の監視領域の異常を検出する複数の感知器と、前記複数の感知器のうちの少なくとも１つの感知器と連動して設置対象の防災の動作を行う複数の防災設備と、を備える防災システムの管理システムであって、
情報を表示する表示手段を備え、
前記表示手段は、前記防災システムの点検に際し前記複数の感知器の中から点検対象の感知器が指定され場合に、当該点検対象の感知器と、前記複数の防災設備のうち当該点検対象の感知器と連動する連動対象の防災設備とを前記設置対象の地図上に認識可能に表示し、その後に、前記点検対象の感知器に対する点検を案内するための点検案内情報を表示する、
管理システム。
【請求項２】
前記防災システムの点検に伴う前記点検対象の感知器の動作結果に基づいて前記連動対象の防災設備を動作させる制御を行う制御手段を備え、
前記表示手段は、前記制御手段の制御による前記連動対象の防災設備の動作結果に基づいて、前記防災システムの点検結果を表示する、
請求項１に記載の管理システム。
【発明の詳細な説明】
【技術分野】
【０００１】
本発明は、管理システムに関する。
【背景技術】
【０００２】
従来、監視領域の火災を検出する感知器と、感知器が火災を検出した場合に、当該感知器の火災検出に連動してシャッターカーテンを閉鎖する防火シャッターとを備える連動システムが知られていた（例えば、特許文献１参照）。この連動システムでは、動作の安全性を確保する観点から、定期的に点検を行う必要があったが、この点検の項目の１つとして、感知器の火災検出に連動して防火シャッターが正常に動作することを確認する点検である連動動作点検が挙げられていた。
【先行技術文献】
【特許文献】
【０００３】
【特許文献１】特開２０１４−００５７１８号公報
【発明の概要】
【発明が解決しようとする課題】
【０００４】
しかしながら、一般的に、連動システムの施工と、当該連動システムの点検とが相互に別の業者によって行われることがあり、このような場合、点検を行う業者側で、感知器と防火シャッターとの相互間の連動のための関連付けの情報を所有していないために、感知器と連動して動作する防火シャッターを把握するのが困難となり、連動動作点検を行うために感知器を発報させた場合に、意図していない防火シャッター（例えば、営業中の店舗の防火シャッター等）のシャッターカーテンが閉じてしまい、問題となる可能性があった。従って、感知器と防火シャッターとの相互間の連動設定を把握するという観点において、改善の余地があった。
【０００５】
本発明は上記問題に鑑みてなされたもので、ユーザに対して、感知器と防火シャッターとの相互間の連動設定を確実に把握させることが可能な管理システムを提供することを目的とする。
【課題を解決するための手段】
【０００６】
上述した課題を解決し、目的を達成するために、請求項１に記載の管理システムは、設置対象の監視領域の異常を検出する複数の感知器と、前記複数の感知器のうちの少なくとも１つの感知器と連動して設置対象の防災の動作を行う複数の防災設備と、を備える防災システムの管理システムであって、情報を表示する表示手段を備え、前記表示手段は、前記防災システムの点検に際し前記複数の感知器の中から点検対象の感知器が指定され場合に、当該点検対象の感知器と、前記複数の防災設備のうち当該点検対象の感知器と連動する連動対象の防災設備とを前記設置対象の地図上に認識可能に表示し、その後に、前記点検対象の感知器に対する点検を案内するための点検案内情報を表示する。
【０００７】
また、請求項２に記載の管理システムは、請求項１に記載の管理システムにおいて、前記防災システムの点検に伴う前記点検対象の感知器の動作結果に基づいて前記連動対象の防災設備を動作させる制御を行う制御手段を備え、前記表示手段は、前記制御手段の制御による前記連動対象の防災設備の動作結果に基づいて、前記防災システムの点検結果を表示する。
【発明の効果】
【００１１】
請求項１に記載の管理システムによれば、例えば、感知器と防災設備との連動設定をユーザに対して視認させることができるので、ユーザに対して、感知器と防災設備との相互間の連動設定を確実に把握させることができる。特に、例えば、防災システムに含まれている装置としての少なくとも感知器と防災設備とが互いに連動して動作することの点検である連動点検を行う場合に、前述の各情報を表示させることにより、動作する防災設備を特定することができるので、当該防災設備の周辺の環境の確認を行った上で連動点検を行うことができ、連動点検によって迷惑が引き起こされるのを防止することができる。
【図面の簡単な説明】
【００１６】
【図１】実施の形態に係る防災システム及び端末装置を示すブロック図である。
【図２】設置対象である商業施設の平面図である。
【図３】受信機側連動設定情報を例示した図である。
【図４】感知器側設置場所情報を例示した図である。
【図５】防災設備側設置場所情報を例示した図である。
【図６】端末装置側連動設定情報を例示した図である。
【図７】点検結果情報を例示した図である。
【図８】連動点検処理のフローチャートである。
【図９】連動点検用画面の一例を示す図である。
【図１０】端末装置側連動設定情報が表示されている連動点検用画面の一例を示す図である。
【発明を実施するための形態】
【００１７】
以下に、本発明に係る管理システムの実施の形態を図面に基づいて詳細に説明する。なお、この実施の形態によりこの発明が限定されるものではない。
【００１８】
〔実施の形態の基本的概念〕
まずは、実施の形態の基本的概念について説明する。実施の形態は、概略的に、防災システムの管理システムに関するものである。
【００１９】
ここで、「防災システム」とは、防災に関するシステムであり、具体的には、少なくとも複数の感知器と複数の防災設備とを備えるものである。まず、「感知器」とは、設置対象に設置されるものであって、設置対象の監視領域の異常を検出する検出手段であり、具体的には、監視領域の検出対象を検出することにより、火災、ガス漏れ等の異常を検出する機器であり、例えば、煙感知器、熱感知器、火災感知器、ガス漏れ感知器、及び連動用感知器等を含む概念である。なお、「連動用感知器」とは、防災設備と関連付けられている感知器であり、異常を検出した場合に防災設備を連動させるために用いられるものである。「設置対象」とは、感知器及び防災設備が設置される対象であり、具体的には、所定の法令（例えば、消防法）にて設置が義務付けられている建築物であり、例えば、オフィスビル、商業施設、学校、又は住宅等を含む概念である。「監視領域」とは、感知器によって監視の対象となっている領域であり、例えば、建築物の部屋、階段、又は廊下等を含む概念である。また、「防災設備」とは、設置対象に設置されるものであって、複数の感知器のうちの少なくとも１つの感知器と連動して監視領域の防災の動作を行う防災手段であり、具体的には、感知器が異常を検出した場合に動作するものであり、例えば、防火シャッター又は防煙ダンパ等の設備を含む概念である。「連動」とは、１つの機器が動作した場合に、他の機器が動作することであり、具体的には、防災システムの感知器が異常を検出した場合に、防災設備が動作することを含む概念である。
【００２０】
「管理システム」とは、防災システムを管理するシステムであり、特に、感知器と防災設備との連動設定を特定する情報である連動設定情報を表示するシステムであり、具体的には、防災システムの一部として防災システムに対して一体的に構成されているシステム、又は、防災システムとは別体として構成させているシステムであり、例えば、受信機、防災表示装置、又は端末装置等を含む概念である。なお、「連動設定」とは、連動についての設定であり、具体的には、複数の感知器と複数の防災設備とを連動させるための設定であって、これらの複数の感知器と複数の防災設備との間の関連付けの設定である。「受信機」とは、監視の対象となっている領域である監視領域の異常を警報する防災受信機であり、具体的には、火災、又はガス漏れ等の異常を警報する機器であって、感知器が異常を検出した場合に警報音又は警報画像を出力したり、移報信号を出力したりする機器を含む概念である。「防災表示装置」とは、防災のための情報を表示する表示手段であり、例えば、監視領域の状態等を表示する装置である。「端末装置」とは、ユーザによって携帯される装置であり、例えば、スマートフォンの如きタブレット端末等を含む概念である。
【００２１】
以下に示す実施の形態では、「防災システム」が複数の感知器及び複数の防災設備の他に受信機を備えており、「感知器」が「連動用感知器」であり、「防災設備」が「防火シャッター」であり、「設置対象」が「商業施設」であり、「管理システム」がユーザによって携帯される「端末装置」である場合について説明する。また、「防災システム」及び「管理システム」が、「管理システム」である「端末装置」を用いて、「防災システム」の連動点検を行えるように構成されている場合について説明する。また、防災システム及び管理システムについての、連動点検に関する構成及び処理以外の構成及び処理については、公知の構成及び処理を適用することができるので、連動点検に関するもののみ、その詳細を説明する。
【００２２】
（構成−防災システム）
まず、本実施の形態に係る防災システムの構成について説明する。図１は、本実施の形態に係る防災システム及び端末装置を示すブロック図である。図２は、設置対象である商業施設の平面図である。なお、図１の感知器１は、図２の感知器１０１〜１０６の総称であり、図１の防火シャッター２は、図２の防火シャッター２０１〜２０４の総称であるものとする。図１の防災システム１００は、概略的には、感知器１、防火シャッター２、及び受信機３を備えている。
【００２３】
（構成−防災システム−感知器）
感知器１は、設置対象である商業施設の天井又は壁等の設置面に設置されており、火災を検出した場合に防火シャッター２を連動させる連動用の感知器であり、図２に示す感知器１０１〜１０６を備えている。感知器１０１は、商業施設の北西側階段に設置されており、感知器１０２は、商業施設の北側中央店舗に設置されており、感知器１０３は、商業施設の北東側階段に設置されており、感知器１０４は、商業施設の南西側店舗に設置されており、感知器１０５は、商業施設の南側中央店舗に設置されており、感知器１０６は、商業施設の南東側店舗に設置されている。この感知器１０１〜１０６については、相互に同様な構成であり、以下の説明では、感知器１０１〜１０６の各部について区別する必要がある場合を除いて、図１の感知器１の各部又は各要素について説明し、感知器１０１〜１０６の各部又は各要素について区別する場合には、「感知器１０１の通信部」等と称して説明する。図１の感知器１は、概略的には、通信部１１、物理量検出部１２、警報部１３、記録部１４、及び制御部１５を備えている。
【００２４】
（構成−防災システム−感知器−通信部）
通信部１１は、少なくとも受信機３との間で通信を行う通信手段である。この通信部１１の具体的な種類や構成は任意であるが、例えば、公知の通信回路等を備えて構成することができる。
【００２５】
（構成−防災システム−感知器−物理量検出部）
物理量検出部１２は、監視領域の検出対象の物理量を検出する物理量検出手段であり、特に、煙の濃度（単位：％）を検出するものである。この物理量検出部１２の具体的な種類や構成は任意であるが、例えば、公知の光電式の煙センサを備えて構成することができる。
【００２６】
（構成−防災システム−感知器−警報部）
警報部１３は、制御部１５の制御に基づいて警報する警報手段である。この警報部１３の具体的な種類や構成は任意であるが、例えば、公知の表示灯、又はスピーカ等を備えて構成することができる。
【００２７】
（構成−防災システム−感知器−記録部）
記録部１４は、感知器１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ ＲＯＭ、ＵＳＢメモリ、ＳＤカードの如き電気的記録媒体を含む、その他の任意の記録媒体を用いることができる（後述する装置の記録部も同様とする）。
【００２８】
また、この記録部１４には、感知器識別情報（以下、感知器ＩＤ）、及び火災判定閾値が格納されている。「感知器ＩＤ」とは、感知器１自身を一意に識別するための情報である。この感知器ＩＤについては、図２の感知器１０１の記録部には「ＩＤ１０１」が格納されており、感知器１０２の記録部には「ＩＤ１０２」が格納されており、感知器１０３の記録部には「ＩＤ１０３」が格納されており、感知器１０４の記録部には「ＩＤ１０４」が格納されており、感知器１０５の記録部には「ＩＤ１０５」が格納されており、感知器１０６の記録部には「ＩＤ１０６」が格納されているものとする。また、図１の「火災判定閾値」とは、監視領域における火災発生を検出（判定）するために用いられる閾値であって、物理量検出部１２の検出結果と比較されるものである。そして、この火災判定閾値については、不図示の入力手段を用いて、初期値として「１０（％）」が入力されて格納されているものとする。
【００２９】
（構成−防災システム−感知器−制御部）
制御部１５は、感知器１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（後述する装置の制御部も同様とする）。特に、実施の形態に係る制御プログラムは、任意の記録媒体又はネットワークを介して感知器１にインストールされることで、制御部１５の各部を実質的に構成する。この制御部１５の各部により行われる処理については、従来の処理と同様であることとし、その概要のみ後述する。
【００３０】
（構成−防災システム−防火シャッター）
防火シャッター２は、設置対象である商業施設に設置されており、感知器１と連動して動作する防災設備であり、図２に示す防火シャッター２０１〜２０４を備えている。防火シャッター２０１は、商業施設の北西側階段の開口に設置されており、防火シャッター２０２は、商業施設の中央廊下の西側に設置されており、防火シャッター２０３は、商業施設の北東側階段の開口に設置されており、防火シャッター２０４は、商業施設の中央廊下の東側に設置されている。この防火シャッター２０１〜２０４については、相互に同様な構成であり、以下の説明では、防火シャッター２０１〜２０４の各部について区別する必要がある場合を除いて、図１の防火シャッター２の各部又は各要素について説明し、防火シャッター２０１〜２０４の各部又は各要素について区別する場合には、「防火シャッター２０１の通信部」等と称して説明する。図１の防火シャッター２は、概略的には、通信部２１、位置検出部２２、記録部２３、及び制御部２４を備えている。
【００３１】
（構成−防災システム−防火シャッター−通信部）
通信部２１は、少なくとも受信機３との間で通信を行う通信手段である。この通信部２１の具体的な種類や構成は任意であるが、例えば、公知の通信回路等を備えて構成することができる。
【００３２】
（構成−防災システム−防火シャッター−位置検出部）
位置検出部２２は、防火シャッター２自身の不図示のシャッターカーテンの位置を検出する位置検出手段である。この位置検出部２２の具体的な種類や構成は任意であるが、例えば、シャッターカーテンの下端が床面付近に到達していることを検出する公知のリミットスイッチを備えて構成することができる。
【００３３】
（構成−防災システム−防火シャッター−記録部）
記録部２３は、防火シャッター２の動作に必要なプログラム及び各種のデータを記録する記録手段である。この記録部２３には、シャッター識別情報（以下、シャッターＩＤ）が格納されている。「シャッターＩＤ」とは、防火シャッター２自身を一意に識別するための情報である。このシャッターＩＤについては、図２の防火シャッター２０１の記録部には「ＩＤ２０１」が格納されており、防火シャッター２０２の記録部には「ＩＤ２０２」が格納されており、防火シャッター２０３の記録部には「ＩＤ２０３」が格納されており、防火シャッター２０４の記録部には「ＩＤ２０４」が格納されているものとする。
【００３４】
（構成−防災システム−防火シャッター−制御部）
図１の制御部２４は、防火シャッター２を制御する制御手段であり、特に、実施の形態に係る制御プログラムは、任意の記録媒体又はネットワークを介して防火シャッター２にインストールされることで、制御部２４の各部を実質的に構成する。この制御部２４の各部により行われる処理については、従来の処理と同様であることとし、その概要のみ後述する。
【００３５】
（構成−防災システム−受信機）
受信機３は、概略的には、通信部３１、操作部３２、表示部３３、音響部３４、記録部３５、及び制御部３６を備えている。
【００３６】
（構成−防災システム−受信機−通信部）
通信部３１は、少なくとも感知器１、防火シャッター２、及び後述する端末装置４との間で通信を行う通信手段であり、特に、感知器１及び防火シャッター２との間で有線通信を行うものであり、また、端末装置４との間で無線通信を行うものである。この通信部３１の具体的な種類や構成は任意であるが、例えば、公知の有線通信回路あるいは公知の有線通信装置、及び公知の無線通信回路あるいは公知の無線通信装置等を備えて構成することができる。
【００３７】
（構成−防災システム−受信機−操作部）
操作部３２は、ユーザの指等で操作されることにより、当該ユーザから各種操作入力を受け付ける操作手段である。この操作部３２の具体的な種類や構成は任意であるが、例えば、公知の操作ボタン等を備えて構成することができる。
【００３８】
（構成−防災システム−受信機−表示部）
表示部３３は、制御部３６の制御に基づいて各種情報を表示する表示手段である。この表示部３３の具体的な種類や構成は任意であるが、例えば、公知の表示灯、あるいは、公知の液晶ディスプレイや有機ＥＬディスプレイの如きフラットパネルディスプレイ等を備えて構成することができる。
【００３９】
（構成−防災システム−受信機−音響部）
音響部３４は、制御部３６の制御に基づいて音を出力する音出力手段である。この音響部３４の具体的な種類や構成は任意であるが、例えば、公知のスピーカ等を備えて構成することができる。
【００４０】
（構成−防災システム−受信機−記録部）
記録部３５は、受信機３の動作に必要なプログラム及び各種のデータを記録する記録手段であり、特に、受信機側連動設定情報を格納する連動設定情報格納手段である。
【００４１】
「受信機側連動設定情報」とは、受信機３側の情報であり、複数の感知器１と複数の防火シャッター２との連動設定を特定する連動設定情報である。図３は、受信機側連動設定情報を例示した図である。この図３に示すように、受信機側連動設定情報は、項目「感知器ＩＤ」、及び項目「シャッターＩＤ」と、各項目に対応する情報とを、相互に関連付けて構成されている。ここで、項目「感知器ＩＤ」に対応する情報は、感知器ＩＤである（図３では、「ＩＤ１０１」等）。また、項目「シャッターＩＤ」に対応する情報は、項目「感知器ＩＤ」の感知器と連動するように関連付けられている防火シャッター２のシャッターＩＤである（図３では、「ＩＤ２０１」、「ＩＤ２０２」等）。そして、この受信機側連動設定情報については、操作部３２を介して行われるユーザによる所定操作に基づいて格納される。
【００４２】
（構成−防災システム−受信機−制御部）
図１の制御部３６は、受信機３を制御する制御手段であり、特に、実施の形態に係る制御プログラムは、任意の記録媒体又はネットワークを介して受信機３にインストールされることで、制御部３６の各部を実質的に構成する。この制御部３６の各部により行われる処理については、後述する。
【００４３】
（構成−端末装置）
次に、端末装置４の構成について説明する。端末装置４は、管理システムであり、概略的には、通信部４１、操作部４２、表示部４３、音響部４４、現在位置検出部４５、記録部４６、及び制御部４７を備えている。
【００４４】
（構成−端末装置−通信部）
通信部４１は、少なくとも受信機３との間で通信を行う通信手段であり、特に、受信機３との間で無線通信を行うものである。この通信部４１の具体的な種類や構成は任意であるが、例えば、公知の無線通信回路あるいは公知の無線通信装置等を備えて構成することができる。
【００４５】
（構成−端末装置−操作部）
操作部４２は、ユーザの指等で操作されることにより、当該ユーザから各種操作入力を受け付ける操作手段である。この操作部４２の具体的な種類や構成は任意であるが、例えば、公知のタッチパッドであって、透明又は半透明状に形成され、表示部４３の前面において当該表示部４３の表示面と重畳するように設けられてタッチパネルとして構成されているものである。
【００４６】
（構成−端末装置−表示部）
表示部４３は、制御部４７の制御に基づいて各種情報を表示する表示手段である。この表示部４３の具体的な種類や構成は任意であるが、例えば、公知の液晶ディスプレイや有機ＥＬディスプレイ等を備えて構成することができる。
【００４７】
（構成−端末装置−音響部）
音響部４４は、制御部４７の制御に基づいて音を出力する音出力手段である。この音響部４４の具体的な種類や構成は任意であるが、例えば、公知のスピーカ等を備えて構成することができる。
【００４８】
（構成−端末装置−現在位置検出部）
現在位置検出部４５は、端末装置４の現在位置（現在地）を検出する現在位置検出手段である。この現在位置検出部４５の具体的な種類や構成は任意であるが、例えば、ＧＰＳ又は地磁気センサ（いずれも図示省略）を有し、現在の端末装置４の位置（座標）及び方位等を公知の方法にて検出するように構成されている。
【００４９】
（構成−端末装置−記録部）
記録部４６は、端末装置４の動作に必要なプログラム及び各種のデータを記録する記録手段であり、特に、地図情報を格納する地図情報格納手段であり、また、感知器側設置場所情報と防災設備側設置場所情報とを格納する設置場所情報格納手段であり、また、端末装置側連動設定情報を格納する連動設定情報格納手段であり、また、点検案内情報を格納する点検案内情報格納手段であり、また、点検結果情報を格納する点検結果情報格納手段である。
【００５０】
「地図情報」とは、設置対象の地図を特定する情報であり、具体的には、商業施設の地図を特定する情報であり、例えば、図２に示す地図を特定する情報である。そして、この地図情報については、図１の通信部４１を介して受信する情報、あるいは、操作部４２を介して行われる操作に基づいて格納される（後述する感知器側設置場所情報、防災設備側設置場所情報、端末装置側連動設定情報、及び点検案内情報も同様とする）。
【００５１】
「感知器側設置場所情報」とは、複数の感知器１の設置場所を特定する情報である。図４は、感知器側設置場所情報を例示した図である。この図４に示すように、感知器側設置場所情報は、項目「感知器ＩＤ」、及び項目「設置場所情報」と、各項目に対応する情報とを、相互に関連付けて構成されている。ここで、項目「感知器ＩＤ」に対応する情報は、図３の同一名称の項目の情報と同一の情報である。また、項目「設置場所情報」に対応する情報は、項目「感知器ＩＤ」の感知器１の設置場所の情報である（図４では、「北西側階段」等）。
【００５２】
図１の「防災設備側設置場所情報」とは、複数の防火シャッター２の設置場所を特定する情報である。図５は、防災設備側設置場所情報を例示した図である。この図５に示すように、防災設備側設置場所情報は、項目「シャッターＩＤ」、及び項目「設置場所情報」と、各項目に対応する情報とを、相互に関連付けて構成されている。ここで、項目「シャッターＩＤ」に対応する情報は、図３の同一名称の項目の情報と同一の情報である。また、項目「設置場所情報」に対応する情報は、項目「シャッターＩＤ」の防火シャッター２の設置場所の情報である（図５では、「北西側階段開口」等）。
【００５３】
図１の「端末装置側連動設定情報」とは、端末装置４側の情報であり、複数の感知器１と複数の防火シャッター２との連動設定を特定する連動設定情報であり、例えば、受信機３の記録部３５の受信機側連動設定情報と同一の情報である。図６は、端末装置側連動設定情報を例示した図である。この図６に示すように、端末装置側連動設定情報は、項目「感知器ＩＤ」、及び項目「シャッターＩＤ」と、各項目に対応する情報とを、相互に関連付けて構成されている。ここで、項目「感知器ＩＤ」に対応する情報、及び項目「シャッターＩＤ」に対応する情報は、図３の同一名称の項目の情報と同一の情報である。
【００５４】
図１の「点検案内情報」とは、防災システム１００の点検を案内するための情報であり、具体的には、連動点検を案内するための情報であり、例えば、「点検対象の感知器を選択して下さい」、「感知器に煙を供給して下さい」、あるいは「連動点検を終了しますか」等の案内メッセージ等を含む概念である。
【００５５】
「点検結果情報」とは、防災システム１００の点検結果を特定する情報であり、具体的には、連動点検の結果を特定する情報である。図７は、点検結果情報を例示した図である。この図７に示すように、点検結果情報は、項目「感知器ＩＤ」、項目「シャッターＩＤ」、及び項目「合否情報」と、各項目に対応する情報とを、相互に関連付けて構成されている。ここで、項目「感知器ＩＤ」に対応する情報、及び項目「シャッターＩＤ」に対応する情報は、図３の同一名称の項目の情報と同一の情報である。また、項目「合否情報」に対応する情報は、防災システム１００の点検結果を特定する情報であり、具体的には、項目「感知器ＩＤ」の感知器１及び項目「シャッターＩＤ」の防火シャッター２の連動点検の点検結果としての合格又は不合格を特定する情報である（図７では、「合格」、「不合格」、及び点検を未実施であることを示す「未実施」）。そして、この点検結果情報については、後述する連動点検処理を実行することにより格納される。
【００５６】
（構成−端末装置−制御部）
図１の制御部４７は、端末装置４を制御する制御手段であり、特に、実施の形態に係る制御プログラムは、任意の記録媒体又はネットワークを介して端末装置４にインストールされることで、制御部４７の各部を実質的に構成する。
【００５７】
この制御部４７は、機能概念的に、表示制御部４７１を備えている。この表示制御部４７１は、記録部４６が格納している地図情報、感知器側設置場所情報、防災設備側設置場所情報、及び端末装置側連動設定情報を表示部４３に表示させる表示制御手段であり、また、記録部４６が格納している点検案内情報を表示部４３に表示させるものであり、また、記録部４６が格納している点検結果情報を表示部４３に表示させるものである。なお、この制御部４７の各部により行われる処理については、後述する。
【００５８】
（処理）
次に、このように構成される防災システム１００及び端末装置４によって実行される、連動点検処理について説明する。図８は、連動点検処理のフローチャートである（以下の各処理の説明ではステップを「Ｓ」と略記する）。「連動点検処理」とは、連動点検を行うための処理であり、具体的には、図１の端末装置４の表示部４３に各種情報を表示させる処理である。この連動点検処理を実行するタイミングは任意であるが、例えば、防災システム１００及び端末装置４の電源をオンした状態において、受信機３の操作部３２を介して行う所定操作により、受信機３を運転するモードである運転モードを、通常監視モードから点検モードに切り替えて当該点検モードに設定した後に起動されて実行するものとして、連動点検処理が起動されたところから説明する。ここで、「通常監視モード」とは、監視領域を監視するために通常時に設定されるモードであり、具体的には、監視領域の異常を検出した場合に外部への移報を行うモードである。また、「点検モード」とは、防災システム１００の点検を行うために点検時に設定されるモードであり、具体的には、監視領域の異常を検出した場合に外部への移報を行わないモードである。また、ユーザが端末装置４及び不図示の点検装置を携帯して、端末装置４に表示される情報に基づいて対象感知器を選択し、選択した対象感知器に対して不図示の点検装置を用いて検出対象である煙を供給して、連動点検を行うことを例示して説明する。なお、「対象感知器」とは、連動点検の対象の感知器である。
【００５９】
まず、図８に示すように、ＳＡ１において端末装置４の表示制御部４７１は、情報を表示させる。具体的には、図１の記録部４６の地図情報、感知器側設置場所情報、防災設備側設置場所情報、点検案内情報、及び現在位置検出部４５が検出した端末装置４の現在位置を、表示部４３に表示させる。
【００６０】
各情報の具体的な表示態様については任意であるが、ここでは、例えば、以下に示す連動点検用画面として表示する場合について説明する。図９は、連動点検用画面の一例を示す図である。「連動点検用画面」とは、連動点検を行うための画面であり、例えば、地図画像５００、感知器シンボル６０１〜６０６、及び防火シャッターシンボル７０１〜７０４、端末装置シンボル８０１、及び点検案内情報表示欄８０２を含んでいる。「地図画像」５００とは、設置対象の地図を特定する画像であり、具体的には、商業施設の地図を特定する画像であり、例えば、図２に示す地図を特定する画像である。「感知器シンボル」６０１〜６０６とは、複数の感知器１の設置場所を特定する画像である。「防火シャッターシンボル」７０１〜７０４とは、複数の防火シャッター２の設置場所を特定する画像である。「端末装置シンボル」８０１は、端末装置４の現在位置を特定する画像である。「点検案内情報表示欄」８０２とは、点検案内情報を表示する欄である。
【００６１】
図８のＳＡ１について詳細には、まず、記録部４６の地図情報を参照して、設置対象の地図を特定し、また、記録部４６の感知器側設置場所情報を参照して、設置対象の地図上における感知器１の設置場所を特定し、また、記録部４６の防災設備側設置場所情報を参照して、設置対象の地図上における防火シャッター２の設置場所を特定し、また、記録部４６の点検案内情報の「点検対象の感知器を選択して下さい」の案内メッセージを取得し、また、現在位置検出部４５が検出した端末装置４の現在位置を特定する。次に、これらの特定又は取得した情報に基づいて、図１の表示部４３に図９の連動点検用画面を表示させる。すなわち、前述の特定した地図に基づいて図９の地図画像５００を生成して表示させた上で、この地図画像５００において前述の特定した感知器１の設置場所に感知器シンボル６０１〜６０６を表示させ、また、この地図画像５００において前述の特定した防火シャッター２の設置場所に防火シャッターシンボル７０１〜７０４を表示させ、また、この地図画像５００において前述の特定した端末装置４の現在位置に端末装置シンボル８０１を表示させ、また、前述の取得した「点検対象の感知器を選択して下さい」を点検案内情報表示欄８０２に表示させることにより、図１の表示部４３に図９の連動点検用画面を表示させる。ここでは、例えば、端末装置４のユーザは、この図９の連動点検用画面を視認することにより、自己の位置及び感知器１及び防災シャッター２の位置を把握して、点検を行うべき感知器１を選択することが可能となる。
【００６２】
図８に戻って、ＳＡ２において端末装置４の表示制御部４７１は、端末装置側連動設定情報を表示させる。具体的には、図１の記録部４６の端末装置側連動設定情報を、表示部４３に表示させる。
【００６３】
端末装置側連動設定情報の具体的な表示態様については任意であるが、ここでは、例えば、感知器１と防火シャッター２とが、１個対複数個、複数個対１個、あるいは、複数個対複数個にて関連付けられる可能性を考慮して、視認性向上の観点から、図１の操作部４２の所定操作により、図９において１個の感知器シンボルを指定した場合に、当該指定した感知器シンボルの感知器１と、当該指定した感知器シンボルの感知器１に関連付けられている防火シャッター２との連動設定を表示する場合について説明する。図１０は、端末装置側連動設定情報が表示されている連動点検用画面の一例を示す図である。なお、図１０は、感知器シンボル６０１を指定した場合の連動点検用画面の一例であり、図２の感知器１０１と防火シャッター２０１及び２０２とが相互に関連付けられていることを示すものであり、例えば、この図１０に示すように、感知器シンボル６０１及び防火シャッターシンボル７０１及び７０２が強調表示（例えば、背景色とは異なる目立つ色にて表示、あるいは、点滅表示等）されているものである。
【００６４】
図８のＳＡ２について詳細には、まず、図１の操作部４２の操作入力を監視して、操作部４２の所定操作により図９の連動点検用画面にて指定された感知器シンボルの感知器１を特定し、記録部４６の端末装置側連動設定情報を参照して、前述の特定した感知器１に関連けられている防火シャッター２を特定した上で、これらの特定した感知器１の感知器シンボル及び特定した防火シャッター２の防火シャッターシンボルを強調表示させる。ここでは、例えば、端末装置４のユーザが、図９の連動点検用画面を視認しつつ、操作部４２を操作して、自己の位置（つまり、端末装置シンボル８０１の位置）の周辺の感知器１の感知器シンボルとして感知器シンボル６０１に、不図示のアイコンを重畳して指定した場合、図１の表示制御部４７１は、指定された感知器シンボル６０１の感知器１０１を特定し、図６の端末装置側連動設定情報を参照して、前述の特定した感知器１０１（図６の「感知器ＩＤ」の「ＩＤ１０１」）に関連けられている防火シャッター２０１及び２０２（図６の「シャッターＩＤ」の「ＩＤ２０１」及び「ＩＤ２０２」）を特定した上で、図１０に示すように、これらの特定した感知器１０１の感知器シンボル６０１及び特定した防火シャッター２０１及び２０２の防火シャッターシンボル７０１及び７０２を強調表示させる。端末装置４のユーザは、この図１０の連動点検用画面を視認することにより、感知器１を発報させた場合に連動する防火シャッター２を把握して、例えば、連動する防火シャッター２の周辺の安全性が確保されているか等を確認した上で、不図示の点検装置を用いて、所望の感知器１に検出対象である煙を供給することができる。
【００６５】
図８に戻って、ＳＡ３において端末装置４の制御部４７は、対象感知器が選択されたか否かを判定する。具体的には、図１の操作部４２の操作入力を監視して、操作部４２を介して図１０の感知器シンボル６０１〜６０６が選択されたか否かに基づいて判定する。そして、操作部４２を介して感知器シンボル６０１〜６０６のうちの何れの感知器シンボルも所定時間（例えば、１分等）内に選択されなかった場合、対象感知器が選択されなかったものと判定し（ＳＡ３のＮＯ）、対象感知器が選択されたものと判定するまで、繰り返しＳＡ３を実行する。また、不図示のアイコンを感知器シンボル６０１〜６０６のうちの何れかに重ねた状態で所定操作（例えば、タップ操作等）を行って選択することにより、操作部４２を介して感知器シンボル６０１〜６０６のうちの何れかの感知器シンボルが所定時間（例えば、１分等）内に選択された場合、対象感知器が選択されたものと判定し（ＳＡ３のＹＥＳ）、ＳＡ４に移行する。ここでは、例えば、図１０において、不図示のアイコンを感知器シンボル６０１に重ねた状態でタップ操作を行って選択した場合、図２の感知器１０１が対象感知器として選択されたものと判定し、対象感知器として選択されたことを示すために感知器シンボル６０１のみを強調表示させる。
【００６６】
図８に戻って、ＳＡ４において端末装置４の表示制御部４７１は、点検案内情報を表示させる。具体的には、図１の記録部４６の点検案内情報の「感知器に煙を供給して下さい」の案内メッセージを取得し、取得した案内メッセージを図１０の点検案内情報表示欄８０２に表示させる。ここでは、例えば、端末装置４のユーザは、この表示された点検案内情報に従って、図８のＳＡ３にて対象感知器として選択した図２の感知器１０１に対して、不図示の点検装置を用いて、煙を供給する。
【００６７】
図８に戻って、一方、ＳＢ１において感知器１の制御部１５は、火災が発生しているか否かを判定する。具体的には、図１の感知器１の物理量検出部１２の検出結果（つまり、煙の濃度）を取得し、また、記録部１４の火災判定閾値を取得した上で、これらの取得した検出結果と取得した火災判定閾値とを比較して、比較結果に基づいて、火災が発生しているか否かを判定する。そして、取得した検出結果が取得した火災判定閾値を超えていない場合、火災が発生していないものと判定して（ＳＢ１のＮＯ）、火災が発生しているものと判定するまで、繰り返しＳＢ１を実行する。また、取得した検出結果が取得した火災判定閾値を超えている場合、火災が発生しているものと判定して（ＳＢ１のＹＥＳ）、ＳＢ２に移行する。
【００６８】
ここでは、例えば、図８のＳＡ４で例示したように、端末装置４のユーザが図２の感知器１０１に対して煙を供給した場合において、感知器１０１の物理量検出部が「１０．１」を検出した場合、感知器１０１の制御部は、この「１０．１」を取得し、また、感知器１０１の記録部の火災判定閾値として「１０」を取得した上で、これらを比較することにより、火災が発生しているものと判定する。
【００６９】
図８に戻って、ＳＢ２において感知器１の制御部１５は、ＳＢ１での検出結果を出力するために、発報信号を送信する。ここで、「発報信号」とは、火災を検出したことを示す信号であり、例えば、火災を検出した感知器１自身の感知器ＩＤを含む信号である。ＳＢ２について具体的には、図１の記録部１４の感知器ＩＤを取得し、取得した感知器ＩＤを含む発報信号を生成した上で、生成した発報信号を、通信部１１を介して受信機３に送信する。ここでは、例えば、図２の感知器１０１の制御部は、「ＩＤ１０１」を含む発報信号を生成して送信する。
【００７０】
図８に戻って、一方、ＳＣ１において受信機３の制御部３６は、発報信号を受信する。具体的には、ＳＢ２で送信された発報信号を、通信部３１を介して受信する。ここでは、例えば、「ＩＤ１０１」を含む発報信号を受信する。
【００７１】
次に、ＳＣ２において受信機３の制御部３６は、対象シャッターを選択する。ここで、「対象シャッター」とは、連動点検の対象の防火シャッターであり、具体的には、ＳＣ１で受信した発報信号に含まれている感知器ＩＤの感知器１に関連付けられている防火シャッター２である。ＳＣ２について具体的には、ＳＣ１で受信した発報信号から感知器ＩＤを取得し、図１の記録部３５の受信機側連動設定情報を参照して、前述の取得した感知器ＩＤの感知器１に関連付けられている防火シャッター２を対象シャッターとして特定する。ここでは、例えば、「ＩＤ１０１」を含む発報信号から「ＩＤ１０１」を取得し、図３の受信機側連動設定情報を参照して、図２の防火シャッター２０１及び２０２（図６の「シャッターＩＤ」の「ＩＤ２０１」及び「ＩＤ２０２」）を対象シャッターとして選択する。
【００７２】
図８に戻って、ＳＣ３において受信機３の制御部３６は、対象シャッターを制御する。具体的には、ＳＣ２で選択した対象シャッターのシャッターカーテンを下げて閉じる制御を行う。ここでの制御手法については任意であるが、例えば、「閉鎖制御信号」を送信する場合について説明する。ここで、「閉鎖制御信号」とは、対象シャッターのシャッターカーテンを下げて閉じるための信号であり、例えば、選択された対象シャッターのシャッターＩＤを含む信号である。ＳＣ３について詳細には、ＳＣ２にて選択した対象シャッターのシャッターＩＤを含む閉鎖制御信号を生成した上で、生成した閉鎖制御信号を、通信部３１を介して防火シャッター２に送信する。ここでは、例えば、「ＩＤ２０１」及び「ＩＤ２０２」を含む閉鎖制御信号を生成して送信する。
【００７３】
図８に戻って、一方、ＳＤ１において防火シャッター２の制御部２４は、自己のシャッターカーテンを閉じるか否かを判定する。具体的には、図１の通信部２１を介して受信する閉鎖制御信号を監視し、受信した閉鎖制御信号に含まれているシャッターＩＤと自己の記録部２３のシャッターＩＤとが一致しているか否かを判定し、判定結果に基づいて、シャッターカーテンを閉じるか否かを判定する。そして、受信した閉鎖制御信号に含まれているシャッターＩＤと自己の記録部２３のシャッターＩＤとが一致していないと判定した場合、シャッターカーテンを閉じないものと判定し（ＳＤ１のＮＯ）、シャッターカーテンを閉じるものと判定するまで、繰り返しＳＤ１を実行する。また、受信した閉鎖制御信号に含まれているシャッターＩＤと自己の記録部２３のシャッターＩＤとが一致していると判定した場合、シャッターカーテンを閉じるものと判定し（ＳＤ１のＹＥＳ）、ＳＤ２に移行する。ここでは、例えば、図２の防火シャッター２０１及び２０２の制御部は、シャッターカーテンを閉じるものと判定するが、一方、防火シャッター２０３及び２０４の制御部は、シャッターカーテンを閉じないものと判定する。
【００７４】
図８に戻って、ＳＤ２において防火シャッター２の制御部２４は、自己のシャッターカーテンを閉じる。具体的には、公知の制御を含む任意の制御を行って、自己のシャッターカーテンを閉じる。ここでは、例えば、図２の防火シャッター２０１及び２０２の制御部は、自己のシャッターカーテンを下げるが、一方、防火シャッター２０３及び２０４の制御部は、自己のシャッターカーテンを下げずに維持する。
【００７５】
図８に戻って、ＳＤ３において防火シャッター２の制御部２４は、閉鎖状態信号を送信するか否かを判定する。ここで、「閉鎖状態信号」とは、図１の防火シャッター２のシャッターカーテンが規定通りに下げられて閉じた状態になったことを示す信号であり、例えば、シャッターカーテンが閉じられた防火シャッター２のシャッターＩＤを含む信号である。ＳＤ３について具体的には、位置検出部２２のリミットスイッチの検出結果に基づいて、判定する。そして、位置検出部２２のリミットスイッチが、シャッターカーテンの下端が床面付近に到達していることを検出していない場合、閉鎖状態信号を送信しないものと判定し（ＳＤ３のＮＯ）、閉鎖状態信号を送信するものと判定するまで、繰り返しＳＤ３を実行する。また、位置検出部２２のリミットスイッチが、シャッターカーテンの下端が床面付近に到達していることを検出した場合、閉鎖状態信号を送信するものと判定し（ＳＤ３のＹＥＳ）、ＳＤ４に移行する。ここでは、例えば、図２の防火シャッター２０１のシャッターカーテンは正常に閉じるが、防火シャッター２０２のシャッターカーテンは、所定の故障原因（例えば、シャッターカーテンの引っ掛かり等）により正常には閉じずに、また、防火シャッター２０３及び２０４のシャッターカーテンは、対象シャッターではないので、閉じないものとする。この場合、防火シャッター２０１の制御部のみが、閉鎖状態信号を生成するものと判定して、ＳＤ４に移行する。
【００７６】
図８に戻って、ＳＤ４において防火シャッター２の制御部２４は、閉鎖状態信号を送信する。具体的には、図１の記録部２３のシャッターＩＤを含む閉鎖状態信号を生成した上で、生成した閉鎖状態信号を、通信部２１を介して受信機３に送信する。ここでは、例えば、図２の防火シャッター２０１の制御部は、「ＩＤ２０１」を含む閉鎖状態信号を生成して送信し、また、防火シャッター２０２の制御部は、所定の故障原因によりシャッターが正常には閉じなかったで、閉鎖状態信号を送信せずに、また、防火シャッター２０３及び２０４の制御部は、対象シャッターではなかったので、閉鎖状態信号を送信しない。
【００７７】
図８に戻って、一方、ＳＣ４において受信機３の制御部３６は、閉鎖状態信号を中継する。具体的には、ＳＤ４で送信された閉鎖状態信号を、図１の通信部３１を介して受信した場合に、受信した閉鎖状態信号に対して、図８のＳＣ１で受信した発報信号に含まれていた感知器ＩＤを付加して、感知器ＩＤが付加された状態の閉鎖状態信号を通信部３１を介して端末装置４に無線送信して中継する。ここでは、例えば、「ＩＤ２０１」及び「ＩＤ１０１」を含む閉鎖状態信号のみを端末装置４に無線送信して中継する。
【００７８】
図８に戻って、一方、ＳＡ５において端末装置４の制御部４７は、点検結果を判定する。ここでの判定手法については任意であるが、例えば、図１の記録部４６の端末装置側連動設定情報を参照して、ＳＡ３で選択した１個の対象感知器と当該対象感知器に関連付けられている１個の対象シャッターの組み合わせを特定し、ＳＡ４を実行してから所定時間（例えば、４〜５分等）以内に対応する閉鎖状態信号を受信したか否かに基づいて、点検の合否を、前述の特定した組み合わせ単位で判定する場合について説明する。合否の判定について具体的には、ＳＡ４を実行してから所定時間以内に対応する閉鎖状態信号を受信した場合に、点検結果として合格と判定し、ＳＡ４を実行してから所定時間以内に対応する閉鎖状態信号を受信しなかった場合に、点検結果として不合格と判定するものとする。なお、「対応する閉鎖状態信号」とは、特定した組み合わせの対象感知器の感知器ＩＤ及び対象シャッターのシャッターＩＤが含まれている閉鎖状態信号を示している。
【００７９】
ここでは、例えば、前述したように、ＳＡ３で図２の感知器１０１が対象感知器として選択されており、図８のＳＡ４を実行してから所定時間以内に「ＩＤ２０１」及び「ＩＤ１０１」を含む閉鎖状態信号のみを受信したものとして説明する。この場合、まず、図６の端末装置側連動設定情報の図面最上段の情報を参照して、感知器１０１及び防火シャッター２０１の組み合わせ、及び、感知器１０１及び防火シャッター２０２の組み合わせを特定する。次に、感知器１０１及び防火シャッター２０１の組み合わせについては、「ＩＤ１０１」及び「ＩＤ２０１」を含む閉鎖状態信号を受信したので、点検結果として合格を判定し、感知器１０１及び防火シャッター２０２の組み合わせについては、「ＩＤ１０１」及び「ＩＤ２０２」を含む閉鎖状態信号を受信しなかったので、点検結果として不合格を判定する。
【００８０】
図８に戻って、ＳＡ６において端末装置４の制御部４７は、点検結果情報を記録する。具体的には、ＳＡ５の判定結果に基づいて、図１の記録部４６の点検結果情報を記録する。詳細には、ＳＡ５で特定した組合せの対象感知器の感知器ＩＤを、図７の感知器ＩＤに記録し、当該組み合わせの対象シャッターのシャッターＩＤを、図７のシャッターＩＤに記録し、また、当該組み合わせの合否を図７の合否情報に記録する。ここでは、例えば、前述したように、感知器１０１及び防火シャッター２０１の組み合わせについて合格と判定し、感知器１０１及び防火シャッター２０２の組み合わせについて不合格と判定した場合、図７の図面最上段の情報及び当該情報よりも１つだけ下段の情報を記録する。
【００８１】
図８に戻って、ＳＡ７において端末装置４の表示制御部４７１は、点検結果情報を表示させる。具体的には、図１の記録部４６の点検結果情報を取得し、取得した点検結果情報を表示部４３に表示させる。点検結果情報の具体的な表示態様については任意であるが、ここでは、例えば、図９等の連動点検用画面の情報が表示されていない領域に、点検結果情報をリスト表示させる場合について説明する。また、点検結果情報の具体的な表示内容についても任意であるが、ここでは、例えば、端末装置４のユーザが、自己が煙を供給した感知器１に関する点検結果を視認し易くする観点から、図８においてＳＡ３で対象感知器に選択したものに対応する情報のみを表示する場合について説明する。ここでは、例えば、図７の図面最上段の情報及び当該情報よりも１つだけ下段の情報を取得して表示させる。
【００８２】
図８に戻って、ＳＡ８において端末装置４の制御部４７は、連動点検処理を終了するか否かを判定する。具体的には、ＳＡ４の場合と同様にして「連動点検を終了しますか」の案内メッセージを図１０の点検案内情報表示欄８０２に表示させ、また、不図示の処理終了ボタン及び処理継続ボタンを当該点検案内情報表示欄８０２に表示させた上で、図１の操作部４２の操作入力を監視して、操作部４２の所定操作により、処理終了ボタン又は処理継続ボタンのうちのいずれのボタンが押下されたに基づいて、判定する。そして、処理終了ボタンが押下された場合、連動点検処理を終了するものと判定し（ＳＡ８のＹＥＳ）、終了する。また、処理継続ボタンが押下された場合、連動点検処理を終了しないものと判定し（ＳＡ８のＮＯ）、ＳＡ１に移行する。これにて、連動点検処理を終了する。
【００８３】
（実施の形態の効果）
このように本実施の形態によれば、地図情報、感知器側設置場所情報、防災設備側設置場所情報、及び連動設定情報を表示部４３に表示させることにより、例えば、感知器１と防火シャッター２との連動設定をユーザに対して視認させることができるので、ユーザに対して、感知器１と防火シャッター２との相互間の連動設定を確実に把握させることができる。特に、例えば、防災システム１００に含まれている装置としての少なくとも感知器１と防火シャッター２とが互いに連動して動作することの点検である連動点検を行う場合に、前述の各情報を表示させることにより、動作する防火シャッター２を特定することができるので、当該防火シャッター２の周辺の環境の確認を行った上で連動点検を行うことができ、連動点検によって迷惑が引き起こされるのを防止することができる。
【００８４】
また、点検案内情報を表示部４３に表示させることにより、例えば、ユーザによる点検作業の作業効率を向上させることができる。
【００８５】
また、点検結果情報を表示部４３に表示させることにより、例えば、ユーザが点検結果を確認しつつ点検作業を行うことができるので、確認した点検結果に応じて再点検を行う等の柔軟な対応をとらせることができる。
【００８６】
また表示部４３がユーザによって携帯される端末装置４のものであることにより、例えば、ユーザが、感知器１及び防火シャッター２が設置されている場所において、これら感知器１及び防火シャッター２の実物を視認しつつ連動設定を確認することができる。特に、例えば、ユーザが、防火シャッター２の周辺で安全性を実際に確認しつつ連動点検を行うことができるので、連動点検の安全性を向上させることができる。
【００８７】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８８】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００８９】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、図１の端末装置４における地図情報、感知器側設置場所情報、防災設備側設置場所情報、及び端末装置側連動設定情報を表示させる機能を、受信機３に設けてもよいし、不図示の防災表示装置に設けてもよいし、汎用的な設置型のコンピュータに設けてもよい。また、例えば、これらの各情報を表示させるための機能のうちの一部をこれら各装置の一部に設けて、これらの各情報を表示させるための機能のうちの他の一部をこれら各装置の他の一部に設けてもよい。
【００９０】
（点検中の対応について）
また、上記実施の形態の図８のＳＤ３で例示したように、図２の防火シャッター２０２が、シャッターカーテンの引っ掛りによって閉じない場合、ユーザは、防火シャッター２０２の閉鎖の状態を実際に目視確認した上で、引っ掛かりの原因（例えば、障害物等）を除去することができるので、当該原因を迅速に除去することにより、この防火シャッター２０２の点検を「不合格」ではなく、「合格」にすることができる。
【００９１】
（連動設定情報について（その１））
また、上記実施の形態の図８のＳＡ２で説明した場合とは異なる任意の表示態様にて、端末装置側連動設定情報を表示させてもよい。例えば、図９の連動点検用画面にて感知器シンボルを指定しなくても、ユーザが連動設定を視認して識別できるようにしてもよい。具体的には、図９の連動点検用画面において、連動するように関連付けられているもの同士の感知器シンボル及び防火シャッターシンボル（以下、関連シンボルの組み合わせ）が相互に同色になるように表示させてもよいし、関連シンボルの組み合わせ中の各シンボルを相互に同一の線種（例えば、実線、破線、又は一点鎖線等）の線図にて表示させてもよいし、各シンボル間が実線にて結ばれるように表示させてもよいし、関連シンボルの組み合わせの周辺に関連付けられていることを示す情報（例えば、テキスト情報、シンボル、あるいは、関連シンボルの組み合わせ中の各シンボルを結ぶ直線等）を表示させてもよい。
【００９２】
（連動設定情報について（その２））
また、上記実施の形態の図８の連動点検処理を適切に実行するためには、図１の受信機３の記録部３５の受信機側連動設定情報と、端末装置４の記録部４６の端末装置側連動設定情報とが互いに同一であることを要する点を考慮して、各連動設定情報の相互間の同一性を担保する機能を設けてもよい。例えば、受信機３及び端末装置４との間で通信を行って、各連動設定情報のうちの一方を他方にコピーして同一性を担保してもよいし、また、各連動設定情報が相互に同一であるか否かを判定し、判定結果をユーザに報知して、ユーザ側に同一性を担保するための対応をとる機会を与えてもよい。また、例えば、図９の連動点検用画面の如き画面であって、各連動設定情報を生成するための画面である連動設定情報生成画面を受信機３側又は端末装置４側に表示させて、ユーザが、当該表示された画面を見ながら、感知器シンボル及び防火シャッターシンボルを選択する等して、図１の感知器１及び防火シャッター２を互いに関連付けて、各連動設定情報の一方を生成して記録した上で、この生成して記録した一方の連動設定情報をコピーすることにより、他方の連動設定情報を生成して記録してもよい。
【００９３】
（連動設定情報について（その３））
また、上記実施の形態の図１の端末装置４の端末装置側連動設定情報を、不図示の管理センターに送信するようにして、管理センター側で端末装置側連動設定情報を設置対象単位で管理し、当該情報を必要とする者（例えば、メンテナンス会社等）に対して有償あるいは無償で提供してもよい。
【００９４】
（点検結果情報について（その１））
また、上記実施の形態の図８のＳＡ７で説明した場合とは異なる任意の表示態様にて、点検結果情報を表示させてもよい。例えば、図９等の連動点検用画面とは別の画面であって、点検結果を表示するための画面である点検結果画面を生成して、生成した点検結果画面に点検結果情報をリスト表示したり、テキスト表示したり、合否のイメージ画像を表示させたりしてもよい。
【００９５】
（点検結果情報について（その２））
また、上記実施の形態の図８のＳＡ７で説明した場合とは異なる任意の表示内容を、点検結果情報として表示させてもよい。例えば、過去の点検結果情報の全履歴を表示させたり、表示させる期間を設定可能とした上で、過去の点検結果情報における設定された期間のみを表示させたりしてもよい。
【００９６】
（点検終了の報知について）
また、上記実施の形態の図８のＳＡ８の判定にて「ＹＥＳ」と判定した後の、ＳＡ１では、点検が終了した感知器１をユーザに報知するために、図９等の連動点検用画面において、図８のＳＡ３にて過去に対象感知器として選択されたものに対応する感知器シンボルをグレースケールしたり、当該感知器シンボルの周辺に点検が終了したことを示す情報（テキスト情報、あるいは、画像情報等）を表示させたりしてもよい。
【００９７】
（避難経路情報について）
また、上記実施の形態の図８のＳＡ１又はＳＡ２にて、避難経路情報を自動的に又は操作部４２を介してユーザから表示要求があった場合、表示制御４７１が、避難経路情報を表示部４３に表示させてもよい。ここで、「避難経路情報」とは、避難経路を特定する情報である。避難経路情報の表示態様は任意であるが、例えば、図９等の連動点検用画面に重畳させる態様にて、ユーザが指定した感知器シンボルを火源とした場合の避難経路を生成して表示させたり、予め定められている固定の避難経路を表示させたりしてもよい。
【００９８】
（復旧について）
また、上記実施の形態の図８のＳＤ２において下げたシャッターカーテンを、自動的あるいはマニュアル操作にて上げて、連動点検処理を行う前の状態に復旧させてもよい。自動的に復旧する場合について具体的には、ＳＤ４の後に防火シャッター２が自動的にシャッターカーテンを上げるように構成してもよい。また、マニュアル操作にて復旧する場合について具体的には、図１の端末装置４の表示部４３に復旧ボタンを表示させた上で、操作部４２を介して当該復旧ボタンを押下した場合に、端末装置４が受信機３を介して防火シャッター２に復旧信号を送信し、この復旧信号を防火シャッター２が受信した場合に、当該防火シャッター２がシャッターカーテンを上げるように構成してもよい。また、防火シャッター２がシャッターカーテンを降下して、復旧する際には、防火シャッター２そのものに光や音を発生する装置の如き注意喚起手段を付加して、シャッターカーテンが降下することについて注意喚起させる構成としてもよい。
【００９９】
（通信について）
また、上記実施の形態の図１の防災システム１００の各機器の相互間、及び、防災システム１００の受信機３との端末装置４との相互間の通信については、有線通信を行うように構成してもよいし、無線通信を行うように構成してもよい。また、防災システム１００の各機器、あるいは、端末装置４の通信機能を改造等することにより、防災システム１００の任意の機器と端末装置４との間で通信を行えるように構成してもよい。
【０１００】
（点検開始信号について）
また、上記実施の形態の図１の端末装置４の制御部４７が、通信部４１を介して点検開始信号を送信するように構成してもよい。ここで、「点検開始信号」とは、防災システム１００の点検を開始するための信号であり、任意の情報を含む信号である。なお、このように構成した場合の通信部４１が「送信手段」に相当する。この場合について具体的には、端末装置４と感知器１とが相互に無線通信を行い、端末装置４が、図８のＳＡ３で選択した対象感知器の感知器ＩＤを含む点検開始信号を生成し、生成した点検開始信号を感知器１に送信するように構成し、且つ、感知器１が、自己の感知器ＩＤを含んでいる点検開始信号を受信した場合に、図８のＳＢ１の判定結果に関わらずＳＢ２を実行してもよい。ここでは、例えば、ＳＡ３にて図９の感知器シンボル６０１が選択された場合、「ＩＤ１０１」を含む点検開始信号を生成して、図１の感知器１に送信する。一方、図２の感知器１０１は、自己の記録部「ＩＤ１０１」と点検開始信号の「ＩＤ１０１」とが一致しているので、自己の感知器ＩＤを含んでいる点検開始信号を受信したものとして、図８の図８のＳＢ１の判定結果に関わらずＳＢ２を実行する。この後、実施の形態で説明した場合と同様な処理が行われる。このように構成した場合、点検開始信号を防災システム１００に送信することにより、例えば、防災システム１００の感知器１に対して検出対象である煙を供給せずに、点検を行うことができるので、点検作業の作業工程を減少させることができ、ユーザによる点検作業の作業効率を一層向上させることができる。
【０１０１】
（各情報の表示タイミング）
また、上記実施の形態では、地図情報、感知器側設置場所情報、防災設備側設置場所情報、及び端末装置側連動設定情報を、図８の連動点検処理にて表示させる場合について説明したが、これに限らない。例えば、連動点検処理に関わらず、任意のタイミングで表示させてもよい。具体的には、端末装置４の操作部４２を介して所定操作が行われた場合に、各情報を表示させてもよいし、操作部４２を介して行われる操作に関わらず、定期的にあるいは不定期で表示させてもよい。
【０１０２】
（各設置場所情報について）
また、上記実施の形態の各設置場所情報としては、図４の「北西側階段」等及び図５の「北西側階段開口」等を用いる場合について説明したが、これに限らない。例えば、各設置場所情報として、地図上の座標を用いてもよいし、地図の目印を基準にした情報（例えば、柱の番号等）を用いてもよい。
【０１０３】
（付記）
付記１の管理システムは、設置対象に設置されるものであって、前記設置対象の監視領域の異常を検出する複数の感知器と、前記設置対象に設置されるものであって、前記複数の感知器のうちの少なくとも１つの感知器と連動して前記監視領域の防災の動作を行う複数の防災設備と、を備える防災システムの管理システムであって、前記設置対象の地図を特定する情報である地図情報を格納する地図情報格納手段と、前記複数の感知器の設置場所を特定する情報である感知器側設置場所情報と、前記複数の防災設備の設置場所を特定する情報である防災設備側設置場所情報とを格納する設置場所情報格納手段と、前記複数の感知器と前記複数の防災設備との連動設定を特定する情報である連動設定情報を格納する連動設定情報格納手段と、情報を表示する表示手段と、前記地図情報格納手段が格納している前記地図情報と、前記設置場所情報格納手段が格納している前記感知器側設置場所情報及び前記防災設備側設置場所情報と、前記連動設定情報格納手段が格納している前記連動設定情報とを、前記表示手段に表示させる表示制御手段と、を備える。
【０１０４】
付記２の管理システムは、付記１に記載の管理システムにおいて、前記防災システムの点検を案内するための情報である点検案内情報を格納する点検案内情報格納手段、を備え、前記表示制御手段は、前記点検案内情報格納手段が格納している前記点検案内情報を、前記表示手段に表示させる。
【０１０５】
付記３の管理システムは、付記１又は２に記載の管理システムにおいて、前記防災システムの点検結果を特定する情報である点検結果情報を格納する点検結果情報格納手段、を備え、前記表示制御手段は、前記点検結果情報格納手段が格納している前記点検結果情報を、前記表示手段に表示させる。
【０１０６】
付記４の管理システムは、付記１から３のいずれか一項に記載の管理システムにおいて、前記防災システムの点検を開始するための信号である点検開始信号を、前記防災システムに送信する送信手段、を備える。
【０１０７】
付記５の管理システムは、付記１から４のいずれか一項に記載の管理システムにおいて、前記表示手段は、ユーザによって携帯される端末装置の表示手段である。
【０１０８】
（付記の効果）
付記１に記載の管理システムによれば、地図情報、感知器側設置場所情報、防災設備側設置場所情報、及び連動設定情報を表示手段に表示させることにより、例えば、感知器と防災設備との連動設定をユーザに対して視認させることができるので、ユーザに対して、感知器と防災設備との相互間の連動設定を確実に把握させることができる。特に、例えば、防災システムに含まれている装置としての少なくとも感知器と防災設備とが互いに連動して動作することの点検である連動点検を行う場合に、前述の各情報を表示させることにより、動作する防災設備を特定することができるので、当該防災設備の周辺の環境の確認を行った上で連動点検を行うことができ、連動点検によって迷惑が引き起こされるのを防止することができる。
【０１０９】
付記２に記載の管理システムによれば、点検案内情報を表示手段に表示させることにより、例えば、ユーザによる点検作業の作業効率を向上させることができる。
【０１１０】
付記３に記載の管理システムによれば、点検結果情報を表示手段に表示させることにより、例えば、ユーザが点検結果を確認しつつ点検作業を行うことができるので、確認した点検結果に応じて再点検を行う等の柔軟な対応をとらせることができる。
【０１１１】
付記４に記載の管理システムによれば、点検開始信号を防災システムに送信することにより、例えば、防災システムの感知器に対して検出対象である煙を供給せずに、点検を行うことができるので、点検作業の作業工程を減少させることができ、ユーザによる点検作業の作業効率を一層向上させることができる。
【０１１２】
付記５に記載の管理システムによれば、表示手段がユーザによって携帯される端末装置の表示手段であることにより、例えば、ユーザが、感知器及び防災設備が設置されている場所において、これら感知器及び防災設備の実物を視認しつつ連動設定を確認することができる。特に、例えば、ユーザが、防災設備の周辺で安全性を実際に確認しつつ連動点検を行うことができるので、連動点検の安全性を向上させることができる。
【符号の説明】
【０１１３】
１  感知器
２  防火シャッター
３  受信機
４  端末装置
１１  通信部
１２  物理量検出部
１３  警報部
１４  記録部
１５  制御部
２１  通信部
２２  位置検出部
２３  記録部
２４  制御部
３１  通信部
３２  操作部
３３  表示部
３４  音響部
３５  記録部
３６  制御部
４１  通信部
４２  操作部
４３  表示部
４４  音響部
４５  現在位置検出部
４６  記録部
４７  制御部
１００  防災システム
１０１  感知器
１０２  感知器
１０３  感知器
１０４  感知器
１０５  感知器
１０６  感知器
２０１  防火シャッター
２０２  防火シャッター
２０３  防火シャッター
２０４  防火シャッター
４７１  表示制御部
５００  地図画像
６０１  感知器シンボル
６０２  感知器シンボル
６０３  感知器シンボル
６０４  感知器シンボル
６０５  感知器シンボル
６０６  感知器シンボル
７０１  防火シャッターシンボル
７０２  防火シャッターシンボル
７０３  防火シャッターシンボル
７０４  防火シャッターシンボル
８０１  端末装置シンボル
８０２  点検案内情報表示欄
【図１】
0006718738.tif 000002
【図２】
0006718738.tif 000003
【図３】
0006718738.tif 000004
【図４】
0006718738.tif 000005
【図５】
0006718738.tif 000006
【図６】
0006718738.tif 000007
【図７】
0006718738.tif 000008
【図８】
0006718738.tif 000009
【図９】
0006718738.tif 000010
【図１０】
0006718738.tif 000011